(57)【特許請求の範囲】
【請求項１】
送信機において、
複数の送信アンテナと、
チャネル品質情報（ＣＱＩ）を受信するように構成された回路であって、前記ＣＱＩは直交周波数分割多重（ＯＦＤＭ）サブキャリアのグループ毎ベースで受信される、回路と
を備え、
前記回路は、チャネルコード化データストリームを生成するようさらに構成され、
前記回路は、オープンループモードにて、前記チャネルコード化データストリームに空間周波数ブロックコーディング（ＳＦＢＣ）符号化を実行して、ＯＦＤＭサブキャリアの複数のペアを使用して、前記ＳＦＢＣ符号化が実行されるようさらに構成され、ＯＦＤＭシンボルのＯＦＤＭサブキャリアのペアを使用してＳＦＢＣ符号化された前記チャネルコード化データストリームの部分は、前記ＯＦＤＭシンボルのＯＦＤＭサブキャリアの他のペアを使用してＳＦＢＣ符号化された前記チャネルコード化データストリームのもう１つの部分とは独立してＳＦＢＣ符号化され、
前記回路は、前記複数の送信アンテナを使用して、ＯＦＤＭサブキャリアの前記複数のペア上で、ＯＦＤＭ信号として前記ＳＦＢＣ符号化されたデータストリームを送信するようにさらに構成されたこと
を特徴とする送信機。
【請求項２】
前記回路は、前記受信されたＣＱＩに基づいて、前記チャネルコード化データストリームを生成するようさらに構成され、前記オープンループモードで動作をしているとき、前記ＯＦＤＭシンボルを受信する受信機デバイスによって、チャネル状態情報（ＣＳＩ）は、前記送信機へ与えられないことを特徴とする請求項１に記載の送信機。
【請求項３】
ＯＦＤＭサブキャリアのペアを使用してＳＦＢＣ符号化された前記チャネルコード化データストリームの各部分は、ＡｌａｍｏｕｔｉタイプＳＦＢＣ符号を使用して符号化されることを特徴とする請求項１に記載の送信機。
【請求項４】
前記回路は、前記受信されたＣＱＩに基づいて、ＯＦＤＭサブキャリアのグループ毎ベースに、前記チャネルコード化データストリームのために使用される符号化レートおよび変調タイプを選択するようさらに構成されていることを特徴とする請求項１に記載の送信機。
【請求項５】
当該送信機は、基地局であることを特徴とする請求項１に記載の送信機。
【請求項６】
前記ＣＳＩは、前記送信機におけるプリコーディングのために使用されることを特徴とする請求項２に記載の送信機。
【請求項７】
チャネル品質情報（ＣＱＩ）を受信するステップであって、前記ＣＱＩは直交周波数分割多重（ＯＦＤＭ）サブキャリアのグループ毎ベースで受信される、ステップと、
チャネルコード化データストリームを生成するステップと、
オープンループモードにて、前記チャネルコード化データストリームに空間周波数ブロックコーディング（ＳＦＢＣ）符号化を実行して、ＯＦＤＭサブキャリアの複数のペアを使用して、前記ＳＦＢＣ符号化が実行されるようにするステップであって、ＯＦＤＭシンボルのＯＦＤＭサブキャリアのペアを使用してＳＦＢＣ符号化された前記チャネルコード化データストリームの部分は、前記ＯＦＤＭシンボルのＯＦＤＭサブキャリアの他のペアを使用してＳＦＢＣ符号化された前記チャネルコード化データストリームのもう１つの部分とは独立してＳＦＢＣ符号化される、ステップと、
複数の送信アンテナを使用して、ＯＦＤＭサブキャリアの前記複数のペア上で、ＯＦＤＭ信号として前記ＳＦＢＣ符号化されたデータストリームを送信するステップと
を備えることを特徴とする方法。
【請求項８】
前記受信されたＣＱＩに基づいて、前記チャネルコード化データストリームを生成するステップであって、前記オープンループモードで動作をしているとき、前記ＯＦＤＭシンボルを受信する受信機デバイスによって、チャネル状態情報（ＣＳＩ）は、与えられない、ステップ
をさらに備えることを特徴とする請求項７に記載の方法。
【請求項９】
ＯＦＤＭサブキャリアのペアを使用してＳＦＢＣ符号化された前記チャネルコード化データストリームの各部分は、ＡｌａｍｏｕｔｉタイプＳＦＢＣ符号を使用して符号化されることを特徴とする請求項７に記載の方法。
【請求項１０】
前記受信されたＣＱＩに基づいて、ＯＦＤＭサブキャリアのグループ毎ベースに、前記チャネルコード化データストリームのために使用される符号化レートおよび変調タイプを選択するステップ
をさらに備えることを特徴とする請求項７に記載の方法。
【請求項１１】
当該方法は、基地局によって実施されることを特徴とする請求項７に記載の方法。
【請求項１２】
前記ＣＳＩは、プリコーディングのために使用されることを特徴とする請求項８に記載の方法。
【請求項１３】
プロセッサおよび受信機を備えた無線送受信ユニット（ＷＴＲＵ）において、
前記プロセッサは、
チャネル品質情報（ＣＱＩ）を送信し、前記ＣＱＩは直交周波数分割多重（ＯＦＤＭ）サブキャリアのグループ毎ベースで送信され、
前記受信機を経由してＯＦＤＭ信号を受信し、前記ＯＦＤＭ信号は、オープンループモードにて空間周波数ブロックコーディング（ＳＦＢＣ）符号化され、当該ＳＦＢＣ符号化がＯＦＤＭサブキャリアの複数のペアを使用して実行されていたチャネルコード化データストリームを含み、ＯＦＤＭシンボルのＯＦＤＭサブキャリアのペアを使用してＳＦＢＣ符号化された前記チャネルコード化データストリームの部分は、前記ＯＦＤＭシンボルのＯＦＤＭサブキャリアの他のペアを使用してＳＦＢＣ符号化された前記チャネルコード化データストリームのもう１つの部分とは独立してＳＦＢＣ符号化されるよう構成されたこと
を特徴とするＷＴＲＵ。
【請求項１４】
前記チャネルコード化データストリームは、前記送信されたＣＱＩに基づいて生成されたものであって、前記オープンループモードで動作しているとき、チャネル状態情報（ＣＳＩ）は送信されないことを特徴とする請求項１３に記載のＷＴＲＵ。
【請求項１５】
ＯＦＤＭサブキャリアのペアを使用してＳＦＢＣ符号化された前記チャネルコード化データストリームの各部分は、ＡｌａｍｏｕｔｉタイプＳＦＢＣ符号を使用して符号化されることを特徴とする請求項１３に記載のＷＴＲＵ。
【請求項１６】
前記チャネルコード化データストリームは、前記送信されたＣＱＩに基づいて、ＯＦＤＭサブキャリアのグループ毎ベースに、符号化レートおよび変調タイプに従って符号化されることを特徴とする請求項１３に記載のＷＴＲＵ。
【請求項１７】
前記ＣＱＩはアクセスポイントに送信され、前記ＯＦＤＭ信号は前記アクセスポイントから受信されることを特徴とする請求項１３に記載のＷＴＲＵ。
【請求項１８】
前記ＣＳＩは、プリコーディングのために使用されることを特徴とする請求項１４に記載のＷＴＲＵ。
【請求項１９】
チャネル品質情報（ＣＱＩ）を送信するステップであって、前記ＣＱＩは直交周波数分割多重（ＯＦＤＭ）サブキャリアのグループ毎ベースで送信され、
ＯＦＤＭ信号を受信するステップであって、前記ＯＦＤＭ信号は、オープンループモードにて空間周波数ブロックコーディング（ＳＦＢＣ）符号化され、当該ＳＦＢＣ符号化がＯＦＤＭサブキャリアの複数のペアを使用して実行されていたチャネルコード化データストリームを含み、ＯＦＤＭシンボルのＯＦＤＭサブキャリアのペアを使用してＳＦＢＣ符号化された前記チャネルコード化データストリームの部分は、前記ＯＦＤＭシンボルのＯＦＤＭサブキャリアの他のペアを使用してＳＦＢＣ符号化された前記チャネルコード化データストリームのもう１つの部分とは独立してＳＦＢＣ符号化されるステップ
を備えることを特徴とする方法。
【請求項２０】
前記チャネルコード化データストリームは、前記送信されたＣＱＩに基づいて生成されたものであって、前記オープンループモードで動作しているとき、チャネル状態情報（ＣＳＩ）は送信されないことを特徴とする請求項１９に記載の方法。
【請求項２１】
ＯＦＤＭサブキャリアのペアを使用してＳＦＢＣ符号化された前記チャネルコード化データストリームの各部分は、ＡｌａｍｏｕｔｉタイプＳＦＢＣ符号を使用して符号化されることを特徴とする請求項１９に記載の方法。
【請求項２２】
前記チャネルコード化データストリームは、前記送信されたＣＱＩに基づいて、ＯＦＤＭサブキャリアのグループ毎ベースに、符号化レートおよび変調タイプに従って符号化されることを特徴とする請求項１９に記載の方法。
【請求項２３】
前記ＣＱＩはアクセスポイントに送信され、前記ＯＦＤＭ信号は前記アクセスポイントから受信されることを特徴とする請求項１９に記載の方法。
【請求項２４】
当該方法は、無線送受信ユニット（ＷＴＲＵ）によって実行されることを特徴とする請求項１９に記載の方法。
【請求項２５】
前記ＣＳＩは、プリコーディングのために使用されることを特徴とする請求項２０に記載の方法。
【発明の詳細な説明】
【背景技術】
【０００１】
本発明は、無線通信システムに関する。特に、本発明は、直交周波数分割多重（ＯＦＤＭ）無線通信システムにおける空間周波数ブロックコーディング（ＳＦＢＣ）を実行するための方法と装置に関する。
【０００２】
ＯＦＤＭは、データが複数のより小さなストリームに分けられ、各ストリームは総利用可能なトランスミッション帯域幅よりも小さい帯域幅を有するサブキャリア（ｓｕｂ−ｃａｒｒｉｅｒｓ：副搬送波）を使用して伝送されるデータ伝送方式である。ＯＦＤＭの効率は、互いに直交するそれらのサブキャリアの選択に依存する。サブキャリアは、総ユーザデータの部分を各々搬送している間は、互いの干渉はない。
【０００３】
ＯＦＤＭシステムは、他の無線通信システムに対して利点がある。ユーザデータが異なるサブキャリアによって搬送されるストリームに分けられるとき、各サブキャリア上の有効なデータ速度（ｄａｔａ  ｒａｔｅ）は、かなり小さい。したがって、シンボル持続時間は、かなり大きくなる。大きいシンボル持続時間は、より大きい遅延スプレッドを許容できる。言い換えれば、それは、マルチパス（ｍｕｌｔｉ  ｐａｔｈ）で同じくらい厳しく影響を受けない。したがって、ＯＦＤＭシンボルは、複雑な受信機設計をすることなく、遅延スプレッドを許容できる。しかしながら、典型的なワイヤレスシステムは、マルチパスの劣化と戦うために複雑なチャネル等化方式を必要とする。
【０００４】
ＯＦＤＭの別の利点は、逆高速フーリエ変換（ＩＦＦＴ）と高速フーリエ変換（ＦＦＴ）のエンジンを使用することによって、送信機と受信機で直交したサブキャリアの生成ができる、ということである。ＩＦＦＴとＦＦＴが実現できることは周知のことであるため、ＯＦＤＭは容易に実行できて、複雑な受信機を必要としない。
【０００５】
多入力および多出力（ＭＩＭＯ）は、送信機と受信機の両方が１個以上のアンテナを備えた、無線送信受信方式のタイプに関連する。ＭＩＭＯシステムは、空間的なダイバシティ又は空間的なマルチプレクシングを利用して、ＳＮ比（ＳＮＲ）を改良して、スループットを増加させる。
【発明の概要】
【発明が解決しようとする課題】
【０００６】
ＳＦＢＣは、連続したタイムスロット内での同一サブキャリア上というよりも近隣サブキャリア上の空間ダイバシティコード化のシンボルを伝送する方式である。ＳＦＢＣは、空間時間ブロックコーディングにおける速い時間変化の問題を回避する。しかしながら、チャネルは、結合がなされるサブキャリアに対して一定である必要がある。
【課題を解決するための手段】
【０００７】
本発明は、直交周波数分割多重（ＯＦＤＭ）無線通信システムにおける空間周波数ブロックコーディング（ＳＦＢＣ）を実行するための方法と装置に関する。本発明は、クローズドループおよびオープンループの両方に適用可能である。クローズドループモードでは、パワーローディングと固有ビーム形成は、チャネル状態情報（ＣＳＩ）に基づいて実行される。チャネルコードデータストリームは、２以上のデータストリームに多重化される。パワーローディングは、各多重化データストリーム上のＣＳＩに基づいて実行される。ＳＦＢＣエンコーディングは、各組のサブキャリアに関するデータストリーム上で実行される。これにより、固有ビーム形成は、ＣＳＩに基づいて実行され、多重送信アンテナ上での固有ビームを計算することができる。パワーローディングは、２以上のＳＦＢＣエンコーディングブロック上又は各固有モード上で実行される。加えて、パワーローディングは、弱い固有モードに関しては、サブキャリア若しくはサブキャリアのグループを介して実行される。
【０００８】
本発明によれば、堅牢なチャネル推定を、チャネル情報フィードバックの有無にかかわらず、全チャネル状態において提供できる。また、低複雑性が、送信機と受信機の両方において達成される。さらに、スケーラブルな解決策として、どんなアンテナ構成であっても使用することができ、８０２．１ｌａ／ｇの拡張された性能とのバックワードの互換性を備えている。        
【発明の効果】
【０００９】
以上説明したように、本発明によれば、堅牢なチャネル推定を、チャネル情報フィードバックの有無にかかわらず、全チャネル状態において提供できる。また、低複雑性が、送信機と受信機の両方において達成される。さらに、スケーラブルな解決策として、どんなアンテナ構成であっても使用することができる。
【図面の簡単な説明】
【００１０】
【図１】クローズドループモードを実行するＯＦＤＭ−ＭＩＭＯシステムのブロック図である。
【図２】オープンループを実行するシステムのブロック図である。
【図３】パワーローディングについて表現するための送信機のブロック図である。
【図４】２組のモード間での、例示的なパワーローディング適応型変調およびコード化マッピングの図である。
【図５】パワー／ビットローディング用のサブキャリアグループの組み合わせの例を示す図である。
【発明を実施するための形態】
【００１１】
以下、用語「ステーション」（ＳＴＡ）は、ユーザ設備、無線の送信・受信ユニット、固定若しくはモバイルの加入者ユニット、ポケットベル、又は、無線の環境で作動可能ないかなる他のタイプの装置を含むが、これに限定されるものではない。以後、参照する場合、用語「アクセスポイント」（ＡＰ）は、ノード−Ｂ、基地局、サイトコントローラ、又はいかなる他のタイプのインターフェースデバイスを含むが、これに限定されるものではない。
【００１２】
本発明は、要素を示す図番が付された図面を参照して記述される。本発明に係る図面は、ハイレベルな機能ブロック図であり、その機能ブロックによって実行される機能は、およそそれらブロックによって実行される。本発明の特徴は、集積回路（ＩＣ）内に組込まれるか、又は、多数の相互接続コンポーネントを備えた回路で構成される。
【００１３】
本発明に係る実施形態は、ＳＦＢＣ  ＭＩＭＯコーディングを実行する送信機、および、受信機マッチドフィルタを提供する。また、本実施形態は、チャネル分解機能のみならず、送信機チャネルプリコーディングおよび受信機アンテナ処理を提供する。
【００１４】
システムの動作モードには、クローズドループとオープンループの２つのモードがある。クローズドループは、チャネル状態情報（ＣＳＩ）が送信機に対して利用可能であるときに使用される。オープンループは、チャネル状態情報（ＣＳＩ）が利用可能でないときに使用される。ある変形が、ダイバシティの恩恵を与えるレガシー（ｌｅｇａｃｙ）ＳＴＡへの伝送のために使用される。
【００１５】
クローズドループモードにおいて、ＣＳＩは、チャネルマトリクスを分解および対角化して、送信機でプリコーディングすることによって、事実上の独立したチャネルを作るのに使用される。ＴＧｎチャネルの固有値広がり（スプレッド）を考慮して、本発明は、減少したデータ速度という代償を払って堅牢さを増加させるのに、チャネルプリコーダへの入力において送信機内に空間周波数直交ＭＩＭＯコーディングを備える。ＭＩＭＯのどんなコード構成も、多重利得のトレードオフに対するダイバシティに対処しなければならない。特定のチャネル統計に最も適切なトレードオフ方式を有することが望ましい。ＳＦＢＣは、チャネルの低い移動性と長いコヒーレンス時間のために選択される。この方式は、ＭＭＳＥ受信機より簡単な受信機の実現を可能にする。組み合わせた解決策は、より大きい範囲で、より高いスループットを可能にする。本発明の実施形態は、サブキャリアのパワー／ビット単位でのローディングを可能とし、および、チャネル状態フィードバックを伴うクローズドループ動作を通じて、持続した堅牢なリンクを維持する。他の潜在的利点としては、送信機と受信機との両方で、いろいろな数のアンテナに容易にスケーラブルであるということである。
【００１６】
ＣＳＩは、受信機からのフィードバック又はチャネル相互依存関係の利用を通して、送信機で取得できる。チャネル相互依存関係は、主にＴＤＤのベースのシステムに役立つ。この場合、送信機と受信機は、独自にチャネルを推定し、分解することが可能である。ＳＮＲが高いとき、チャネルアップデート率を下げることができ、その結果として減少したフィードバック帯域幅の負荷を得る。遅延要件とフィードバックデータ速度は、通常、固有値の固有な周波数の非選択性に重要なものではない。
【００１７】
クローズドループモードは、推定されたチャネルの振幅と位相差をアップリンクおよびダウンリンク方向において補償するために、送信機の較正を必要とする。このことは、例えば、ＳＴＡアソシエーションの期間またはアプリケーション制御下において、まれに実行され、また、両端末におけるチャネル推定のためにチャネル相互依存関係を使用できる。さらに、固有ビーム単位のＣＱＩ（またはＳＮＲ）は、適応型の速度制御をサポートするために送信機にフィードバックされる。
【００１８】
図１は、クローズドループモードを実行するＯＦＤＭ−ＭＩＭＯシステム１００のブロック図である。システム１００は、送信機１１０と受信機１３０とから構成される。送信機１１０は、チャネルエンコーダ１１２と、マルチプレクサ１１４と、パワーローディングユニット１１６と、複数のＳＦＢＣエンコーディングユニット１１８と、複数のシリアル−パラレル（Ｓ／Ｐ）コンバータ１２０と、複数の固有ビームフォーマ１２２と、複数のＩＦＦＴユニット１２４と、複数の送信アンテナ（図示せず）とを備えている。チャネルエンコーダ１１２は、好ましくは受信機１３０から送られるチャネル品質インディケータ（ＣＱＩ）に従ってデータを符号化する。ＣＱＩは、サブキャリアあたりまたはサブキャリアのグループあたりの符号化レートと変調方式とを決定するのに使用される。マルチ
プレクサ１１４は、２つ以上のデータストリーム中にコード化されたデータストリームを多重送信する。
【００１９】
各データストリームの送信パワーレベルは、フィードバックに基づいてパワーローディングユニット１１６によって調整される。パワーローディングユニット１１６は、各固有のデータ速度に関するパワーレベルを調整し、以下に詳述するような全ての固有ビーム（または、サブキャリア）上の総伝送パワーを調整する。
【００２０】
ＳＦＢＣエンコーディング（符号化）ユニット１１８は、データストリーム上でのＳＦＢＣエンコーディングを実行する。ＳＦＢＣエンコーディングは、伝送用の各データ速度のために、固有ビームとサブキャリア上で実行される。固有ビームとサブキャリアとの組は、独立したチャネルを確実とするために選択される。ＯＦＤＭシンボルは、Ｋサブキャリアで搬送される。ＳＦＢＣに適用させるために、サブキャリアは、サブキャリア（またはサブキャリアのグループ）のＬ組に分割される。サブキャリアの各グループの帯域幅は、チャネル干渉（ｃｏｈｅｒｅｎｃｅ）帯域幅以下とすべきである。しかしながら、固有ビーム形成と組み合わせられると、このような制限は固有ビームの周波数無感応性により緩和される。
【００２１】
ブロックコードで使用されるサブキャリアグループの組は、独立していると考えられる。下記は、ＯＦＤＭシンボルに適用されたＡｌａｍｏｕｔｉタイプＳＦＢＣの例である。
【００２２】
【数１】
0006263488.tif 000002
【００２３】
ＳＦＢＣエンコーディングユニット１１８が、一旦、すべてのサブキャリアのためのＯＦＤＭシンボルを構成すると、コード化されたブロックは、Ｓ／Ｐコンバータ１２０によって多重伝送され、固有ビームフォーマ１２２に入力される。固有ビームフォーマ１２２は、固有ビームを送信アンテナに分配する。ＩＦＦＴユニット１２４は、周波数領域内のデータを時間領域内のデータに変換する。
【００２４】
受信機１３０は、複数の受信用アンテナ（図示せず）と、複数のＦＦＴユニット１３２と、固有ビームフォーマ１３４と、ＳＦＢＣデコーディングユニット１３６と、合成器１３８と、チャネルデコーダ１４４と、チャネル推定器１４０と、ＣＳＩジェネレータ１４２と、ＣＱＩジェネレータ１４６とを備える。
【００２５】
ＦＦＴユニット１３２は、受信したサンプルを周波数領域に変換する。そして、固有ビームフォーマ１３４、ＳＦＢＣデコーディングユニット１３６、およびチャネルデコーダ１４４は、送信機１１０で実行されるのと反対の動作を実行する。合成器１３８は、最大比合成（ＭＲＣ）を使用することでＳＦＢＣデコーディング結果を合成する。
【００２６】
チャネル推定器１４０は、送信機から送信されたトレーニング系列を使用してチャネル行列を生成し、該チャネル行列を、２つのビーム形成ユニタリ行列ＵとＶ（Ｕは送信用、Ｖは受信用）と、特異値分解（ＳＶＤ）または固有値分解によるサブキャリア（サブキャリアグループ）あたり１つの対角行列Ｄとに分解する。ＣＳＩジェネレータ１４２はチャネル推定結果からＣＳＩを発生させ、ＣＱＩジェネレータは解読結果に基づいてＣＱＩを発生させる。発生したＣＳＩとＣＱＩは、送信機１１０に戻される。
【００２７】
ｎＴ個の送信アンテナとｎＲ個の受信アンテナとの間のチャネル行列Ｈは、下記のように表される。
【００２８】
【数２】
0006263488.tif 000003
【００２９】
行列Ｈは、以下のＳＶＤによって分解される。
Ｈ＝ＵＤＶH
【００３０】
ＵとＶはユニタリ行列であり、Ｄは対角行列である。Ｕ∈ＣnRxnRおよびＵ∈ＣnRxnR。
送信シンボルベクトルｓに対して、送信プリコーディングは、単に下記のように実行される。
ｘ＝Ｖｓ（送信信号）
【００３１】
受信信号は、下記のようになる。
ｙ＝ＨＶｓ＋ｎ
ｎは、チャネルで導入された雑音である。受信機は、マッチドフィルタを用いて分解を完了する。
ＶHＨH＝ＶHＶＤHＵH＝ＤHＵH
【００３２】
固有ビームに対するチャネルゲインを正規化した後、送信シンボルｓの推定は、下記のようになる。
【００３３】
【数３】
0006263488.tif 000004
【００３４】
ｓは、連続した干渉キャンセルを実行することなく、またはＭＭＳＥタイプ検出器を使用することなく、検出される。ＤHＤは、対角線上に交差したＨの固有値によって形成される対角行列である。したがって、規格化ファクタα＝D-2となる。ＵはＨＨHの固有ベクトル、ＶはＨHＨの固有ベクトルであり、ＤはＨ（ＨＨHの固有値の平方根）の個々の値の対角行列である。
【００３５】
図２は、本発明に係るオープンループモードを実行するシステム２００のブロック図である。
【００３６】
システム２００は、送信機２１０と受信機２３０とからなる。このオープンループモードにおいて、送信機２１０内で空間周波数コーディングと空間的拡散との組合せは、ＣＳＩを必要とすることなく、ダイバシティを提供する。この方式の変形は、レガシー８０２．１１ａ／ｇＳＴＡｓと共に動作するときに使用できる。
【００３７】
送信機２１０は、チャネルエンコーダ２１２と、マルチプレクサ２１４と、パワーローディングユニット２１６と、複数のＳＦＢＣエンコーディングユニット２１８と、複数のシリアル−パラレル（Ｓ／Ｐ）コンバータ２２０と、ビームフォーマネットワーク（ＢＦＮ）２２２と、複数のＩＦＦＴユニット２２４と、複数の送信アンテナ２２６とから構成される。クローズドループモードのように、チャネルエンコーダ２１２は、ＣＱＩを使用し、サブキャリアの各サブキャリア単位またはグループ単位の符号化レートおよび変調を決定する。コード化されたデータストリームは、マルチプレクサ２１４によって２つ以上のデータストリームに多重化される。
【００３８】
オープンループにおいて、固有ビームフォーマは、ビームフォーマネットワーク（ＢＦＮ）２２２に置き換えられる。ビームフォーマネットワーク（ＢＦＮ）２２２は、空間内にＮビームを形成する。ここで、Ｎは、アンテナ２２６の数である。ビームは、ＢＦＮマトリクス操作で、擬似−ランダム的に組み立てられる。ＳＦＢＣコード化に使用される独立したサブキャリアグループは、個々のビーム上で送信される。
【００３９】
レガシィサポートにおいて、ＳＦＢＣコード化は実行されないかもしれない。代わってビーム入替えによるダイバシティを実行することによってダイバシティを向上させ、その結果レガシー８０２．１１ａ／ｇ設備の性能を向上させる。
【００４０】
受信機２３０は、受信アンテナ２３１と、ＦＦＴユニット２３２と、ＢＦＮ２３４と、ＳＦＢＣデコーディングおよび合成ユニット２３６と、チャネルデコーダ２３８とから構成される。ＦＦＴユニット２３２は、時間領域内の受信信号を周波数領域内の信号に変換する。ＳＦＢＣデコーディングおよび合成ユニット２３６は、サブキャリアグループ／固有ビームから受信したシンボルをデコードして合成し、既知のコンスタレーションサイズを使用してパラレルからシリアルに変換する。シンボルは、ＭＲＣを使用して合成される。チャネルデコーダ２３８は、合成したシンボルをデコードして、ＣＱＩを発生させる。
【００４１】
以下、パワーローディングの第１の実施形態について説明する。
空間的処理とは、空間周波数コード化と固有ビーム形成との組み合わせである。これは、ＳＦＢＣが提供する冗長利得と固有ビーム形成が提供する空間的マルチプレクシングとの間での最良の妥協案を得るために実行される。パワーローディング方式は、チャネル行列の固有モードを超えて動作する。しかしながら、ＳＦＢＣは、また、入力パワーローディングが符号化器内のクロス−オペレーションによるものであっても、符号化器の出力は同じパワーローディングをもつという規制がある。
【００４２】
図３は、パワーローディングについて表現するための送信機１１０のブロック図を示す。図３は、１例として４×４のケースを示すものであり、パワーローディングの第１の実施形態は、この４×４のケースを参照して説明される。ただし、この４×４のケースは、他のいかなるケースにも拡張できる。特定のサブキャリア（副搬送波）ｋに関して、４つのデータストリームが２組のパワーローディング／ＡＭＣモードにマッピングされる。言い換えれば、変調次数は、入力の組の各々に対して同じように選択される。これは、後で固有モードの組にマッピングされる。パワーローディングユニット１１６の出力は、２つの２×２のＳＦＢＣエンコーディングユニット１１８に適用され、固有ビームフォーマ１２２に渡される。固有ビームフォーマ１２２は、前処理を通して、チャネルの固有モードに入力をマッピングさせる。
【００４３】
すべてのＫサブキャリアに関して、チャネル行列の固有値は、送信機で既知である。各固有モードのチャネルエネルギーは、以下のように定義される。
【００４４】
【数４】
0006263488.tif 000005
【００４５】
ここで、λi,kは、第ｋ番目のサブキャリア用の第ｉ番目の固有値である。２つのＳＮＩＲは、２つの結合した固有モードのために、下記のように定義される。
【００４６】
【数５】
0006263488.tif 000006
【００４７】
ここで、Ｍは固有モードの数である。言い換えれば、固有モードは、最も大きいチャネルエネルギー（或いはＳＮＩＲ）を有する半分の固有モードが１つのグループ内に存在し、最も弱いチャネルエネルギーを有する半分の固有モードが他のグループ内に存在するように、グループ化される。従って、ハーモニックＳＮＩＲｓは、より強い固有モード、および、より弱い固有モードの総チャネルエネルギーを表す。チャネルエネルギーは、固有モードおよび該固有モード上で搬送される信号がどれくらい堅牢であるかの表示（indication）である。この情報は、さらに詳細に次に説明されるように、異なる適用型の変調および符号化（ＡＭＣ）、および／または、各半分用の異なったパワーローディングを適用するのに使用される。結合したＳＮＩＲｓの分離は、以下のように定義される。
【００４８】
Δβ＝βmod1−βmod2
【００４９】
閉ループ動作の期間中、送信機１１０は、そこから固有値と前処理行列を抽出する現在のＣＳＩに関する知識を有する。送信機１１０は、リンクＲｂ内で、サポートできるデータ速度をＣＳＩから推察する。そして、所定の、許容できるＣＱＩ用のパワーローディングは、ＯＦＤＭシンボル単位で送ることができるビット数と、各モードに使用されることになる変調タイプとの間の最適化である。
【００５０】
上述したように固有モードｉのために計算されたチャネルエネルギーを使用して、そのチャネル状態をサポートすることができる最大のビット伝送速度が決定される。そして、上記モード分離計算を使用して、ビット伝送速度が、モードの２つの組の間でどのようにして分配される必要があるかが決定される。
【００５１】
図４は、モードの２つの組の間におけるパワーローディングおよび適応型の変調および符号化マッピングの１例を示す。この例では、サポートできるビット伝送速度は、特定のサブキャリアに対するＯＦＤＭシンボルあたり２４ビットである。ビット伝送速度を満たす最も少ない変調次数は、図４中の破線の矢印によって示される。この例では、１番目と２番目のモード（結合モードの第１の組）は１６ＱＡＭを使用することになり、３番目と４番目のモード（結合モードの第２の組）は２５６ＱＡＭを使用することになる。
【００５２】
このマッピングは、許容できる１つのＣＱＩと１つのサブキャリアのために説明されることに注意されたい。例えば、２×４、２×２などの代替のＭＩＭＯ構成のケースにおいて、同じパワーローディング方式が適用可能である。ただし、テーブルエントリー内のビット総数が送信能力を表すために縮小されており、パワーローディングが1組のモード上で実行されるということを除く。
【００５３】
以下、第２の実施形態に係るパワーローディング方式について説明する。サブキャリア（λ1（ｋ）＞λ2（ｋ）＞…＞λnT（ｋ））あたりの固有値が格付けされ、固有ビーム（Ｅ1，Ｅ2，…，ＥnT）は、以下に示すように全てのサブキャリア用の同一格付けされた固有値を分類することによって作成される。
Ｅi＝｛λi（１），λi（２），…，λi（Ｋ）}    ｉ＝１，２，…，ｎＴ
ただし、Ｋはサブキャリアの数、ｎＴは送信アンテナの数、λi（ｊ）はｊ番目のサブキャリアのｉ番目の固有値、ｎＴは偶数である。
【００５４】
固有ビームあたりの固有値の平均値は、下記のように計算される。
【００５５】
【数６】
0006263488.tif 000007
【００５６】
固有ビームは、例えば、{Ｅ1，Ｅ2}1，{Ｅ3，Ｅ4}2，…，{Ｅ2i-1，Ｅ2i}i，…{ＥnT-1，ＥnT}nT/2のような、Ａｌａｍｏｕｔｉの空間周波数ブロックを作成するために組にされる。しかし、ある組のＳＮＲがＳＮＲmaxよりも大きいときには、ＳＮＲがＳＮＲmin以下になるまで、その組の第２の固有ビームが次のような低い固有値平均を伴った固有ビームに代替される。
【００５７】
【数７】
0006263488.tif 000008
【００５８】
0006263488.tif 000009
【００５９】
各組の固有ビームのデータ速度は、所与の品質を得るためのデータ速度に対する一組のＳＮＲをマッピングすることによって決定される。必要ＳＮＲｓは、測定誤差を補償するためにまた全送信パワーが一定になるように、全ての組の固有ビームに関して調整される。
【００６０】
サブキャリア単位での組の固有ビームあたりのウェイトベクトルは、以下のように計算される。
【００６１】
【数８】
0006263488.tif 000010
【００６２】
ここで、ｉはｉ番目の組の固有ビーム、ｊはｊ番目のサブキャリアである。
【００６３】
第１の実施形態および第２の実施形態に加えて、第３の実施形態として、弱い固有モードのために、別のパワーローディングがサブキャリアまたはサブキャリアのグループを超えて適用される。言い替えれば、全ての固有モードに適用されているパワーローディングの代わりに、パワーローディングをより弱い固有モードにだけ適用でき、これによりパワーローディングの最良の利益を得ることができる。このような場合、パワーロードしたそれらの固有モードが、例えば同じＡＭＣ設定を共有する一方で、パワーロードされていないそれらの固有モードは、依然としてＳＦＢＣまたは他のコード化を持つことができるか、または、個別に異なったＡＭＣ設定を持つこともできる。チャネルの固有モードもまた、最も強いものから最も弱いものへ、常にパワーで順序付けされる。同様のパワーの固有モードを組み合わせることによって、チャネルのパワーローディングを改善することができる。
【００６４】
空間処理方式は、どのような数にも受信および送信のアンテナを組合せて構成することが可能である。各サイト上でのアンテナの数に依存して、ＳＦＢＣと固有ビーム形成オプションの組み合わせが使用される。以下に示すテーブルは、各シナリオに適用可能な、様々な構成と、空間的な処理およびパワーローディングの状態をまとめたものである。
【００６５】
【表１】
0006263488.tif 000011
【００６６】
本発明の特徴および要素を特定の組み合わせによる好ましい実施形態として記述したが、これら各特徴又は要素は、該好ましい実施形態の他の特徴および要素を含むことなく単独で、又は、本発明の他の特徴および要素あるなしにかかわらず様々な組み合わせで使用することができる。
【産業上の利用可能性】
【００６７】
本発明は、一般的に無線通信システムに利用することができる。
【符号の説明】
【００６８】
１００  システム
１１０  送信機
１１２  チャネルエンコーダ
１１８  ＳＦＢＣエンコーディングユニット
１２２  固有ビームフォーマ
１３０  受信機
１３６  ＳＦＢＣデコーディングユニット
１４２  ＣＳＩジェネレータ
１４４  チャネルデコーダ
１４６  ＣＱＩジェネレータ
【図１】
0006263488.tif 000012
【図２】
0006263488.tif 000013
【図３】
0006263488.tif 000014
【図４】
0006263488.tif 000015
【図５】
0006263488.tif 000016